(57)【要約】      （修正有）【課題】効果的かつ便利なスペースの配置を備えた無線入力機器を提供する。【解決手段】本体、ケース、ストラクチャ及びボタンが含まれている。その本体は電子機器を受け入れるための第一スペースを有している。その電子機器には受信機が含まれており、その受信機は、それがコンピュータに接続された際、無線入力機器から伝送される信号を受信する。ケースは、本体及び第一スペースを分離可能に覆う。ストラクチャは、本体及びケースが分離可能に連結されるように構成されている。ボタンは本体に連結されており、押圧時に、ストラクチャを作動させ、それにより、本体からケースが分離し、電子機器を第一スペースから取り外すことが可能となる。【選択図】図２Ａ
0003109762.tif 000002
【実用新案登録請求の範囲】
【請求項１】
無線入力機器であって、
電子機器を受け入れるための第一スペースを有する本体と、
前記本体及び第一スペースを分離可能に覆うケースと、
前記本体及びケースを分離可能に連結するためのストラクチャと、
前記本体に連結されたボタンとを備え、前記ボタンは、押圧時に、前記ストラクチャを作動させ、それにより、前記ケースが前記本体から分離し、かつ前記電子機器が前記第一スペースから取り外し可能となる無線入力機器。
【請求項２】
前記ストラクチャは、
前記本体に連結された弾性板と、
前記弾性板上に配置された突起と、
前記突起と連結するために、前記ケース上に配置された把握部とを備え、
押圧時に、前記ボタンは前記弾性板を押圧して、それにより、前記把握部及び突起を分離させ、前記本体から前記ケースが分離される請求項１に記載の無線入力機器。
【請求項３】
前記ボタンは第一端部を備え、かつその第一端部は、押圧時に、前記ケース及び本体が分離するように前記ストラクチャを作動させる請求項１に記載の無線入力機器。
【請求項４】
前記ボタンは第二端部及びその第二端部の下方に配置されたブロックをさらに備え、かつ前記第一端部が押圧される時、そのブロックは前記ケースを押し出す請求項３に記載の無線入力機器。
【請求項５】
前記電子機器は、その端部に配置されたコネクタを備え、前記本体は、前記第一スペースに繋がる位置決めスペースを有し、かつその位置決めスペースは、前記電子機器が前記第一スペース内に配置されるように前記コネクタを受け入れる請求項１に記載の無線入力機器。
【請求項６】
前記コネクタはＵＳＢジョイントである請求項５に記載の無線入力機器。
【請求項７】
弾性エレメントであって、その一部は位置決めスペース内に配置され、前記電子機器が前記第一スペース内に受け入れられた時、前記電子機器に弾性力を提供する弾性エレメントをさらに備えている請求項５に記載の無線入力機器。
【請求項８】
前記本体はさらに、第一電池を受け入れるための第二スペースを、前記第一スペースの一方の側部に備えている請求項１に記載の無線入力機器。
【請求項９】
前記本体はさらに、第二電池を受け入れるための第三スペースを、前記第一スペースの他方の側部に備えている請求項８に記載の無線入力機器。
【請求項１０】
前記ケースは、実質的にＵ字形状を有している請求項１に記載の無線入力機器。
【請求項１１】
前記ボタンは、前記Ｕ字形状のくぼみに配置されている請求項１０の無線入力機器。
【請求項１２】
ローラーをさらに備え、前記ボタンは前記ケースとそのローラーとの間に配置されている請求項１に記載の無線入力機器。
【請求項１３】
前記ローラー及びボタンは、無線入力機器の縦軸線に沿って配置されている請求項１１に記載の無線入力機器。
【請求項１４】
前記無線入力機器はマウスを備えている請求項１に記載の無線入力機器。
【請求項１５】
前記電子機器は、前記マウスからの信号を受信するために、コンピュータに選択的に接続される受信機を備えている請求項１４に記載の無線入力機器。
【請求項１６】
前記電子機器は、データ記憶装置を備えている請求項１４に記載の無線入力機器。
【請求項１７】
前記電子機器は、前記マウスからの信号を受信するために、コンピュータに選択的に接続された受信機をさらに備えている請求項１６に記載の無線入力機器。
【請求項１８】
無線入力機器であって、
電子機器を受け入れるための第一スペースを有する本体と、
前記本体及び電子機器を分離可能に連結するための第一ストラクチャと、
前記本体に連結されたボタンとを備え、
前記ボタンは、押圧時に、前記第一ストラクチャを作動させ、それにより、前記本体及び電子機器が分離し、前記電子機器が前記第一スペースから取り外し可能となる無線入力機器。
【請求項１９】
前記第一ストラクチャはチューブにより形成され、そのチューブは開口を有し、かつ前記電子機器はその開口を介して取り外し可能である請求項１８に記載の無線入力機器。
【請求項２０】
前記本体を分離可能に覆うケースをさらに備え、そのケースは開口に対応するギャップを有し、前記電子機器はそのギャップを介して取り外し可能である請求項１９に記載の無線入力機器。
【請求項２１】
前記第一ストラクチャは、
前記電子機器上に配置された孔と、
前記孔に対応する第一突起とを備え、
前記電子機器が前記第一スペース内に受け入れられている時に、前記第一突起は前記孔に詰められている請求項１８に記載の無線入力機器。
【請求項２２】
前記第一ストラクチャは、前記本体上に配置され、かつ前記第一突起が連結された弾性片をさらに備え、前記ボタンが押圧される時、前記弾性片は、前記第一突起が前記孔から離間するように押し付けられる請求項２１に記載の無線入力機器。
【請求項２３】
前記弾性片は支柱を含み、前記ボタンが押圧される時、その支柱は、前記第一突起が前記孔から分離するように押し付けられる請求項２２に記載の無線入力機器。
【請求項２４】
前記開口を覆うためのカバーをさらに備えている請求項１９に記載の無線入力機器。
【請求項２５】
前記開口及びギャップを覆うカバーをさらに備えている請求項２０の無線入力機器。
【請求項２６】
前記本体及びケースを分離可能に連結するための第二ストラクチャをさらに備えている請求項２０に記載の無線入力機器。
【請求項２７】
前記第二ストラクチャは、
前記本体に連結された弾性板と、
前記弾性板上に配置された第二突起と、
前記第二突起と連結するための、前記ケース上に配置された把握部とを備え、
押圧時に、前記ボタンは前記把握部及び第二突起が分離するように前記弾性板を押し付け、それにより、前記ケースは前記本体から分離される請求項２６に記載の無線入力機器。
【請求項２８】
前記ボタンは、第一端部及び第二端部を備え、第一端部が押圧される時、前記第二ストラクチャを作動させ、第二端部が押圧される時、前記第一ストラクチャを作動させる請求項２７に記載の無線入力機器。
【請求項２９】
前記ボタンはさらに、前記第二端部の下方に配置されたブロックを備え、かつそのブロックは、前記第一端部が押圧される時、前記ケースを押し出す請求項２８に記載の無線入力機器。
【請求項３０】
前記本体はさらに、第一電池を受け入れるための第二スペースを、前記第一スペースの一方の側部に備えている請求項１８に記載の無線入力機器。
【請求項３１】
前記本体及び前記第二スペースを覆うケースをさらに備えている請求項３０に記載の無線入力機器。
【請求項３２】
前記本体はさらに、第二電池を受け入れるための第三スペースを、前記第一スペースの他方の側部に備えている請求項３０に記載の無線入力機器。
【請求項３３】
前記第一スペース、第二スペース及び第三スペースは、無線入力機器の縦線に対して平行に配置されている請求項３２に記載の無線入力機器。
【請求項３４】
前記ケースは実質的にＵ字形状を有している請求項２０に記載の無線入力機器。
【請求項３５】
前記本体は、前記電子機器に弾性力を提供するための弾性エレメントをさらに備えている請求項１８に記載の無線入力機器。
【請求項３６】
前記電子機器が前記第一スペース内に受け入れられた時、前記電子機器の一方の端部は前記ギャップを覆い、前記電子機器のその端部及び前記ケースは全体として滑らかな曲面を形成する請求項２０に記載の無線入力機器。
【請求項３７】
前記無線入力機器はマウスである請求項１８に記載の無線入力機器。
【請求項３８】
前記電子機器は、前記マウスからの信号を受信するために、コンピュータに選択的に接続される受信機を備えている請求項３７に記載の無線入力機器。
【請求項３９】
前記電子機器はデータ記憶装置を備えている請求項３７の無線入力機器。
【請求項４０】
前記電子機器は、前記マウスからの信号を受信するために、コンピュータに選択的に接続される受信機をさらに備えている請求項３９に記載の無線入力機器。
【請求項４１】
無線入力機器であって、
開口を有し、かつ受信機を受け入れるためのチューブ、及び前記チューブの側部に配置され、かつ第一電池を受け入れるための第一スペースを備えている本体と、
前記本体に分離可能に連結され、前記第一スペースを覆い、前記開口に対応するギャップを有するケースとを備え、
前記ケース及び本体が全体として連結された時には、前記受信機は前記開口及びギャップを介して取り外し可能であり、前記ケースが前記本体から分離されている時には、前記第一電池が前記第一スペースから取り外し可能である無線入力機器。
【請求項４２】
前記本体はさらに、第二電池を受け入れるための第二スペースを、前記チューブの他方の側部に備えている請求項４１に記載の無線入力機器。
【請求項４３】
前記チューブ、第一スペース及び第二スペースは、前記無線入力機器の縦軸線に対して平行に配置されている請求項４２に記載の無線入力機器。
【請求項４４】
前記開口及びギャップを覆うためのカバーをさらに備えている請求項４１に記載の無線入力機器。
【請求項４５】
前記受信機が前記チューブに受け入れられている時、前記受信機の一方の端部は前記ギャップを覆い、前記受信機のその端部及び前記ケースは全体として滑らかな曲面を形成する請求項４１に記載の無線入力機器。
【請求項４６】
前記無線入力機器はマウスである請求項４１に記載の無線入力機器。
【考案の詳細な説明】
【技術分野】
【０００１】
本出願は、２００４年１月６日に出願された台湾特許出願第０９３２００１７３号、２００４年４月１５日に出願された台湾特許出願第０９３１１０５７７号及び２００４年６月３日に出願された台湾特許出願第０９３２０８７８１号の優先権を主張するものである。
【０００２】
本考案は、コンピュータの無線周辺機器に関するものであり、より詳細には、コンピュータの無線入力機器に関するものである。
【背景技術】
【０００３】
現在の市場に出回っているほとんどのコンピュータには、ユーザが命令を入力するための少なくとも一つの周辺機器が必要である。技術の進歩に伴い、これらの周辺機器、例えばマウス、キーボード及びタッチパッドは、無線通信によりコンピュータに対して信号を伝送することが可能である。図１Ａ及び図１Ｂは従来技術のコードレスマウスを示している。マウス１００は、受信機１２０を受け入れるためのスペース１１１を有する本体１１０を含んでいる。受信機１２０は、それがコンピュータのＵＳＢポートに接続された際、本体１１０により伝送される信号を受信するのに適合している。
【考案の開示】
【考案が解決しようとする課題】
【０００４】
受信機１２０がスペース１１１から取り外され、コンピュータに接続されると、スペース１１１は露出される。一つの欠点は、そのように露出されたスペース１１１に埃及び液体の流入が起こり、本体１１０における回路の損傷が起こり得ることである。従って、マウス１００の寿命は縮まる。
【０００５】
マウス１００は、電池１３０を収容するためのスペース及びそのスペースを覆うためのカバー１４０をさらに含んでいる。そのスペースは通常本体１１０の底部に備わっている。別の欠点は、ユーザが電池１３０を取り替える場合、マウス１００を反転させなければならないことである。電池１３０を取り替える際に、その配置は不便である。
【課題を解決するための手段】
【０００６】
上述の欠点を克服するために、本考案は、効果的かつ便利なスペースの配置を備えた無線入力機器を提供する。
本考案の無線入力機器の一実施形態では、本体、ケース、ストラクチャ及びボタンが含まれている。その本体は電子機器を受け入れるための第一スペースを有している。その電子機器には受信機が含まれており、その受信機は、それがコンピュータに接続された際、無線入力機器から伝送される信号を受信する。ケースは、本体及び第一スペースを分離可能に覆う。ストラクチャは、本体及びケースが分離可能に連結されるように構成されている。ボタンは本体に連結されており、押圧時に、ストラクチャを作動させ、それにより、本体からケースが分離し、電子機器を第一スペースから取り外すことが可能となる。
【０００７】
そのストラクチャには、弾性板、突起及び把握部が含まれている。その弾性板は本体に連結されている。突起は弾性板上に配置されている。把握部はケースに配置されており、突起と連結するように形状が定められている。押圧時に、そのボタンは弾性板を押圧して、把握部及び突起を互いに分離させ、それにより、ケースは本体から分離され得る。
【０００８】
本考案の無線入力機器の別の実施形態では、本体、第一ストラクチャ及びボタンが含まれている。その本体は電子機器を受け入れるための第一スペースを有している。同様に、その電子機器には受信機が含まれており、その受信機は、それがコンピュータに接続された際、無線入力機器から伝送される信号を受信する。第一ストラクチャは、本体及び電子機器が分離可能に接続されるように構成されている。ボタンは本体に連結されており、押圧されると、第一ストラクチャを、本体及び電子機器が分離するように作動させ、電子機器を第一スペースから取り外すことが可能となる。
【０００９】
第一ストラクチャには、少なくとも一つの孔及びその孔に対応する一つの第一突起が含まれている。その孔は電子機器上に配置され、第一突起は本体上に配置されている。電子機器が第一スペースに受け入れられている時には、第一突起はその孔の内部に詰められている。
【００１０】
本考案の無線入力機器の別の実施形態では、本体及びケースが含まれている。その本体はさらに、チューブ及び第一スペースを含んでいる。そのチューブは開口を有し、受信機を受け入れるように構成されている。チューブの側部に配置された第一スペースは第一電池を受け入れるように構成されている。ケースは本体に分離可能に連結されており、第一スペースを覆い、かつ開口に対応するギャップを有している。ケース及び本体が互いに連結された時は、受信機をその開口及びギャップを介して取り外すことが可能である。ケースを本体から分離させた時は、第一電池を第一スペースから取り外すことが可能である。
【考案を実施するための最良の形態】
【００１１】
図２Ａ及び２Ｃは、本無線入力機器の第一の実施形態を示す。第一の実施形態は、本体２１０、ケース２２０、二つのストラクチャＸ及びボタン２３０を含む無線マウス２００である。各ストラクチャＸには、弾性板２１３、突起２１４及び把握部２２１を含んでいる。本体２１０には、典型的なマウスの機能を実行するためのシフトセンサ（図示略）、プロセッサ（図示略）及び信号伝送器（図示略）のような幾つかの回路が含まれている。本体２１０にはさらに、電子機器２４０を受け入れるための第一スペース２１２が含まれている。電子機器２４０は、本体２１０からの信号を受信するための、コンピュータに接続可能な受信機である。ケース２２０は、実質的にＵ字形状を有しており、本体２１０及び第一スペース２１２を分離可能に覆う。ストラクチャＸ（以下に詳細に説明する）は、本体２１０及びケース２２０を分離可能に連結するように構成されている。ケース２２０のくぼみに配置されたボタン２３０は、本体２１０の連結エレメント２１６に連結されている。ボタン２３０は、押圧時に、ストラクチャＸを作動させ、それにより、ケース２２０が本体２１０から分離し、電子機器２４０を第一スペース２１２から取り外すことが可能となる。
【００１２】
弾性板２１３は本体２１０上に配置され、突起２１４は弾性板２１３上に配置される。把握部２２１はケース２２０に配置され、突起２１４と連結するように形状が定められている。ボタン２３０は、押圧時に、把握部２２１が突起２１４から分離するように弾性板２１３を下方に屈曲させる。それによって、ケース２２０は本体２１０から分離され得る。
【００１３】
さらに、ボタン２３０は第一端部２３６、第二端部２３８及び第二端部２３８の下部に配置された二つのブロック２３２を含んでいる。押圧時に、第一端部２３６がストラクチャＸを作動させるのと同時に、ブロック２３２はケース２２０の周縁部２２２を押し付ける。それゆえ、ケース２２０は本体２１０から分離可能となる。
【００１４】
ケース２２０を本体２１０に取り付ける際、ユーザは、ケース２２０を図２Ａに示す方向Ａに押し進める。その時、ケース２２０は本体２１０に接近し、把握部２２１は突起２１４と連結される。それゆえに、ケース２２０は本体２１０に堅固に装着される。
【００１５】
図２Ｂはボタン２３０の底面図を示す。図２Ｂに示すように、ボタン２３０は、第一端部２３６と第二端部２３８との間にシャフト２３４を含んでいる。シャフト２３４は、本体２１０の連結エレメント２１６に連結されるのに適合しており、それによってボタン２３０はシーソーのように動作することが可能となる。従って、第一端部２３６又は第二端部２３８が押圧された時、第二端部２３８又は第一端部２３６は上方に移動する。
【００１６】
図２Ａに戻って参照すると、電子機器２４０は、その端部に配置されたコネクタ２４１を含み、そのコネクタはコンピュータのＵＳＢポートに接続するためのＵＳＢジョイントである。本体２１０は、第一スペース２１２に繋がる位置決めスペース２１１を有している。電子機器２４０が受け入れられた時、ユーザは電子機器２４０を方向Ａに向けて押し進める。位置決めスペース２１１がコネクタ２４１を受け入れることにより、電子機器２４０は第一スペース２１２内に配置される。
【００１７】
マウス２００はさらに弾性エレメント２１８を含んでいる。弾性エレメント２１８の一部は位置決めスペース２１１にまで延びている。電子機器２４０が第一スペース２１２に受け入れられた時、弾性エレメント２１８はコネクタ２４１に接触し、第一スペース２１２内における電子機器２４０を固定にするための弾性力を電子機器２４０に提供する。
【００１８】
電池の取り替えを容易にするために、本体２１０は、第一電池２７０及び第二電池２７２を受け入れるための第二スペース２１５ａ及び第三スペース２１５ｂをさらに含んでおり、それらは第一スペース２１２の両側にそれぞれ設置されている。第一スペース２１２、第二スペース２１５ａ及び第三スペース２１５ｂは、マウス２００の縦軸線Ｌに対して平行に配置されている。第一電池２７０及び第二電池２７２は、マウス２００に電力を供給するのに適合している。ケース２２０は、第一電池２７０と第二電池２７２とを直列に接続するための金属片（図示略）をさらに含んでいる。ケース２２０が本体２１０から分離された時、第一電池２７０及び第二電池２７２を取り替えることが可能である。電池の取り替えを目的として、マウス２００を反転させる必要はない。
【００１９】
電子機器２４０は受信機であるが、本考案において、電子機器２４０の目的が信号の受信に制限されることはない。例えば、電子機器２４０が、データを記憶するためのフラッシュメモリのようなデータ記憶装置をさらに含んでいても構わない。コネクタ２４１は、マウス２００からの信号をコンピュータに伝送するためだけではなく、電子機器２４０のフラッシュメモリに記憶されたデータにアクセスするためにも使用可能である。
【００２０】
図３は、本無線入力機器の第二の実施形態を示す。第二の実施形態は、本体３１０、二つのストラクチャＸ（図示略）、ケース３２０及びボタン３３０を含む無線マウス３００である。これらのエレメントの機能及び構造は、マウス２００におけるものと同様である。一つの違いは、マウス３００は、モニタ上に表示された表示物をスクロールするためのローラー３４０を含んでいる。ローラー３４０は、ユーザの指によるスクロールが容易になるようにマウス３００の前端部に配置されている。ボタン３３０はケース３２０とローラー３４０との間に配置されている。ローラー３４０及びボタン３３０は、マウス３００の縦軸線Ｌに沿って配置されている。
【００２１】
図４Ａは、本無線入力機器の第三の実施形態を示す。第三の実施形態は無線マウス４００である。マウス４００は、本体４１０、第一ストラクチャＹ及びボタン４３０を含んでいる。本体４１０は、受信機４４０を受け入れるための第一スペース４１２を有しており、第一スペース４１２は、図示されているように、チューブにより形成されている。そのチューブは開口４１９を有している。第一ストラクチャＹは本体４１０及び受信機４４０を分離可能に連結するように構成されている。第一ストラクチャＹの詳細な説明を以下に行う。ボタン４３０は本体４１０に連結されており、第一端部４３６及び第二端部４３８を有している。第二端部４３８が押圧された時、ボタン４３０は第一ストラクチャＹを作動させ、それにより、本体４１０が受信機４４０から分離する。それゆえ、受信機４４０を第一スペース４１２から取り外すことが可能となる。
【００２２】
マウス４００は、Ｕ字形状を有し、かつ本体４１０を分離可能に覆うケース４２０をさらに含んでいる。ケース４２０は、開口４１９に対応するギャップ４２６をさらに有している。ユーザが受信機４４０を取り外す、若しくは挿入する場合、受信機４４０は、開口４１９及びギャップ４２６を通り抜ける。
【００２３】
図４Ｂは、受信機４４０の底面図を示す。図４Ａ及び４Ｂを参照すると、第一ストラクチャＹは、二つの孔４４２及び二つの第一突起４５２を含んでいる。孔４４２は受信機４４０上に配置され、第一突起４５２は孔４４２に対応している。受信機４４０が第一スペース４１２内に受け入れられた時、第一突起４５２は、孔４４２内に詰められる。第一ストラクチャＹは、本体４１０上に配置された弾性片４５０をさらに含んでいる。第一突起４５２は弾性片４５０上に配置されている。第二端部４３８が押圧された時、弾性片４５０は、第一突起４５２が孔４４２から抜け出るように押し付けられる。より詳細には、弾性片４５０は、二つの孔４１７を介してボタン４３０の底部に接触する二つの支柱４５１を含んでいる。第二端部４３８が押圧された時、ボタン４３０は支柱４５１を作動させ、支柱４５１は弾性片４５０を下方に屈曲させ、次いで第一突起４５２は孔４４２から抜け出る。
【００２４】
本体４１０は二つの第一連結エレメント４２７をさらに含んでおり、ケース４２０は第二連結エレメント４２４をさらに含んでいる。ケース４２０が本体４１０に装着されている時は、第一連結エレメント４２７及び第二連結エレメント４２４は互いに連結し、装着をより堅固なものにする。
【００２５】
マウス４００は、本体４１０及びケース４２０を分離可能に連結する二つの第二ストラクチャＸをさらに含んでいる。各第二ストラクチャＸは、弾性板４１３、第二突起４１４及び把握部４２１を含んでいる。弾性板４１３の構造及び機能は第一の実施形態における弾性板２１３の構造及び機能と同様であり、第二突起４１４の構造及び機能は第一の実施形態における突起２１４の構造及び機能と同様であり、かつ把握部４２１の構造及び機能は第一の実施形態における把握部２２１の構造及び機能と同様である。第一端部４３６が押圧された時、ボタン４３０は弾性板４１３を屈曲させ、把握部４２１を第二突起４１４から分離させる。それによって、ケース４２０は本体４１０から分離され得る。
【００２６】
さらに、ボタン４３０は、第二端部４３８の下方に配置された二つのブロック４３２を含んでいる。押圧時に、第一端部４３６はブロック４３２を作動させ、ケース４２０を押し出す。それによって、ケース４２０は本体４１０から分離され得る。
【００２７】
マウス４００はさらに弾性エレメント４１８を含んでいる。弾性エレメント４１８の一部は、第一スペース４１２にまで延びている。受信機４４０が第一スペース４１２内に受け入れられた時、弾性エレメント４１８は受信機４４０に接触し、第一スペース４１２中の受信機４４０を固定するための弾性力を受信機４４０に提供する。
【００２８】
図４Ｂに示すように、受信機４４０の一方の端部４４４は、ケース４２０の対応するそり曲面に一致するようなそり曲面を有している。受信機４４０が第一スペース４１２内に受け入れられた時、受信機４４０の端部４４４はギャップ４２６を完全に覆い、端部４４４及びケース４２０は全体として滑らかな曲面を形成する。
【００２９】
本体４１０はまた、電池を受け入れるための第二スペース４１５ａ及び第三スペース４１５ｂを含み、それらは、第一スペース４１２の両側にそれぞれ配置されている。
図５は、本無線入力機器の第四の実施形態を示している。第四の実施形態は無線マウス５００である。無線マウス４００と比較して、マウス５００には、図４Ａにおける前述の開口及びギャップを覆うためのカバー５６０が含まれている。スプリング５６１及びヒンジ５６２が、カバー５６０及び本体５１０を連結するのに使用されている。スプリング５６１及びヒンジ５６２により、カバー５６０は、それが開かれた後、開口及びギャップを覆うために自動的に閉じられる。
【００３０】
マウス５００は、モニタ上に表示された表示物をスクロールするためのローラー５４０を含んでいる。ローラー５４０は、ユーザの指によるスクロールが容易になるようにマウス５００の前端部に配置されている。ボタン５３０はケース５２０とローラー５４０との間に配置されている。ローラー５４０及びボタン５３０は、マウス５００の縦軸線Ｌに沿って配置されている。
【００３１】
上記の実施形態に関する記載は、本考案の特徴を明快に詳説することを意図しているが、本考案の範囲を制限することは意図していない。例えば、本明細書においてはマウスが例示されたのみではあるが、本考案の技術思想を任意のコンピュータの周辺機器、例えば、キーボード、タッチパッド及びジョイスティクに拡張することは可能である。本考案の示唆を維持しながら、数多くの改良及び変更が成されることは、当業者にとっては当然のことであろう。従って、上記開示は、請求項の範囲によってのみ制限されるものとして構成されるべきである。
【図面の簡単な説明】
【００３２】
【図１Ａ】従来技術のコードレスマウス。
【図１Ｂ】従来技術のコードレスマウス。
【図２Ａ】本考案の第一の実施形態の分解図。
【図２Ｂ】第一の実施形態のボタンの底面図。
【図２Ｃ】本考案の第一の実施形態。
【図３】本考案の第二の実施形態。
【図４Ａ】本考案の第三の実施形態の分解図。
【図４Ｂ】第三の実施形態の電子機器の底面図。
【図５】本考案の第四の実施形態。
【図１Ａ】
0003109762.tif 000003
【図１Ｂ】
0003109762.tif 000004
【図２Ａ】
0003109762.tif 000005
【図２Ｂ】
0003109762.tif 000006
【図２Ｃ】
0003109762.tif 000007
【図３】
0003109762.tif 000008
【図４Ａ】
0003109762.tif 000009
【図４Ｂ】
0003109762.tif 000010
【図５】
0003109762.tif 000011